(57)【要約】      （修正有）【課題】コンピュータに連接不要で、プレビュー、スキャン、及び、保存功能が実行できるフィルムスキャナーの提供。【解決手段】主に、主体内に架体が設置され、底部にバックライト機構を設置する底座を接合し、前記主体と底座の接合箇所の左右両側に、導通する長槽を有し、その特徴は、前記架体頂部に、メインボード、功能キーボード、及び、ディスプレイパネルを連結してなる回路板を設置し、前記メインボード上は、アレイ式の金属酸化膜半導体イメージセンサーにより、光学撮影レンズを結合するイメージ感応モジュール、及び、画像処理と保存モジュールを設置し、前記主体外に、前記ディスプレイパネルと連結するカラー液晶ディスプレイを設置し、複数の制御キーを前記主体外部に有し、連接して、各種功能操作を制御することを特徴とする。【選択図】図１
0003147795.tif 000002
【実用新案登録請求の範囲】
【請求項１】
コンピュータに連接不要で、プレビュー、スキャン、及び、保存功能が実行できるフィルムスキャナーであって、主に、主体内に架体を設置し、底部は、内部に機構を設置し、前記主体と底座の接合箇所の左右両側に、導通する長槽を有し、その特徴は、前記架体頂部に、メインボード、功能キーボード、及び、ディスプレイパネルを連結してなる回路板を設置し、前記メインボード上は、アレイ式の金属酸化膜半導体イメージセンサーにより、光学撮影レンズを結合するイメージ感応モジュール、及び、画像処理と保存モジュールを設置し、前記主体外に、前記ディスプレイパネルと連結するカラー液晶ディスプレイを設置し、複数の制御キーを前記主体外部に有し、連接して、各種功能操作を制御することを特徴とするコンピュータに連接不要で、プレビュー、スキャン、及び、保存功能が実行できるフィルムスキャナー。
【請求項２】
前記功能キーボード上に、各種功能スイッチ、及び、メモリケースを設置し、前記主体頂部の各功能スイッチ、及び、メモリケースに相対する位置に、それぞれ、電源指示灯、撮影ボタン、電源キー、操作キー、及び、メモリカード挿入孔を有することを特徴とする請求項１に記載のコンピュータに連接不要で、プレビュー、スキャン、及び、保存功能が実行できるフィルムスキャナー。
【請求項３】
前記底座上に、内置式電源装置、及び、USB連接スロットを有することを特徴とする請求項１に記載のコンピュータに連接不要で、プレビュー、スキャン、及び、保存功能が実行できるフィルムスキャナー。
【請求項４】
前記イメージセンサーは、アレイ式金属酸化膜半導体イメージセンサーであることを特徴とする請求項１に記載のコンピュータに連接不要で、プレビュー、スキャン、及び、保存功能が実行できるフィルムスキャナー。
【請求項５】
前記画像処理と保存モジュールは、同期動態メモリ、フラッシュメモリ、及び、デジタル信号処理チップを結合することを特徴とする請求項１に記載のコンピュータに連接不要で、プレビュー、スキャン、及び、保存功能が実行できるフィルムスキャナー。
【請求項６】
底部は、内部にバックライト設計を有し、アイドル時間に、自動閉鎖する定時装置を接合することを特徴とする請求項１に記載のコンピュータに連接不要で、プレビュー、スキャン、及び、保存功能が実行できるフィルムスキャナー。
【請求項７】
ネガフィルムはカラーモードであることを特徴とする請求項１に記載のコンピュータに連接不要で、プレビュー、スキャン、及び、保存功能が実行できるフィルムスキャナー。
【請求項８】
画像は光学撮影レンズモジュール陰影均一度補償功能を有し、リアルな色彩を提供することを特徴とする請求項１に記載のコンピュータに連接不要で、プレビュー、スキャン、及び、保存功能が実行できるフィルムスキャナー。
【請求項９】
前記フィルムケースは、ポジ、ネガ、白黒フィルム、及び、歯科用X線フィルムの操作を提供することを特徴とする請求項１に記載のコンピュータに連接不要で、プレビュー、スキャン、及び、保存功能が実行できるフィルムスキャナー。
【考案の詳細な説明】
【技術分野】
【０００１】
本考案は、アレイ式金属酸化膜半導体イメージセンサーからなるコンピュータに連接不要で、プレビュー、スキャン、及び、保存功能が実行できるフィルムスキャナーに関するものである。
【背景技術】
【０００２】
公知のカメラは、感光フィルム（ポジ、ネガ）を撮影用フィルムとしているが、このフィルムは保存に適せず、一定期間を過ぎると、画像のダメージや消失を招き、画像を焼きなおしすることができなくなる。この他、この種の画像はプロ用の高価な機器を使用する以外には修正できず、これも使用上の欠点である。
【０００３】
コンピュータ、及び、デジタル科学技術の発展に伴い、市場のスキャナーは公知のドキュメント、パターンのスキャンを提供する以外に、ネガフィルムスキャン功能を満足させるために、バックライトの機種を追加設置することができるので、フィルム画像をデジタルデータに転換することができる。しかし、この装置は、体積、重量、コスト面で理想的ではないので、その後、各種独立したネガフィルムスキャン装置が提供されたが、体積とコストの原因で、普及率が悪い。
【０００４】
本考案者は、独立装置は、公知の撮影画像をデジタルデータに転換する設計は、体積が大きい問題を解決することと、装置がコンピュータに連接しないと使用できず、単独で功能を発揮しないことが使用上の不便で、更に、この装置は、使用するドライバーがネガフィルム撮影する時、ネガ画像だけしか見えず、カラー表示できないことが欠点であると考える。この他、スキャン時間が長く、製品単価が高いという問題がある。
【考案の開示】
【考案が解決しようとする課題】
【０００５】
本考案の目的は、アレイ式金属酸化膜半導体イメージセンサーからなるコンピュータに連接不要で、プレビュー、スキャン、及び、保存功能が実行できるフィルムスキャナーを提供し、上述の問題を改善することにある。
【課題を解決するための手段】
【０００６】
本考案のコンピュータに連接不要で、プレビュー、スキャン、及び、保存功能が実行できるフィルムスキャナーは、アレイ式金属酸化膜半導体からなる設計で、主体内に架体を設置し、底部は内にバックライト機構を有する底座からなり、その特徴は、主体内の架体頂部に、メインボード、功能キーボード、ディスプレイパネルを連結してなる回路板を有し、メインボード上にイメージセンサーにより、光学撮影レンズを結合するイメージ感応モジュール、及び、画像処理と保存モジュールを設置し、底座内に電源処理装置を設置し、バックライト機構は、光学撮影レンズ位置に相対すると共に、主体外に、カラー液晶ディスプレイ、及び、メモリカードスロットを設置する。また、底座との接合箇所の左右両側に、導通する長槽を有し、これにより、フィルムを挟置するフィルムケースを一側の長槽から挿入し、フィルムは、バックライト機構により現像され、光学撮影レンズによりフィルム画像を捕捉して、イメージセンサーで、デジタルデータに転換すると共に、画像処理と保存モジュールにより、デジタル化画像処理を実行し、主体のディスプレイパネルにより、プレビュー、編集後、メモリに保存するか、コンピュータに伝送し、且つ、メモリカード上に保存した画像は、メモリカードスロットに挿入し、画像処理と保存モジュールによりスキャンして、直接、再生、或いは、編集することができる。
【考案の効果】
【０００７】
本考案は、公知の撮影画像をデジタルデータに転換する設計の体積が大きい問題、装置がコンピュータに連接しないと使用できず、単独で功能を発揮しない等の使用上の不便、及び、使用するドライバーがネガフィルム撮影する時、ネガ画像だけしか見えず、カラー表示できない欠点を改善することができる。
【考案を実施するための最良の形態】
【０００８】
図１〜図４で示されるように、本考案はコンピュータに連接不要で、プレビュー、スキャン、及び、保存功能が実行できるフィルムスキャナーを提供し、基本構造は、主体１０内に架体２０を設置し、底部に、内にバックライト機構３２を設置する底座３０を接合する。主な改良特徴は、主体１０内の架体２０頂部に、メインボード４１、功能キーボード４２、ディスプレイパネル４３を連結してなる回路板４０を有し、メインボード４１上にイメージセンサー４４１（アレイ式金属酸化膜半導体イメージセンサー）により、光学撮影レンズ４４２を結合するイメージ感応モジュール４４、及び、画像処理と保存モジュール４５を設置し（同期動態メモリ、フラッシュメモリ、及び、デジタル信号処理チップを結合する）、功能キーボード４２上に、各種必要な功能スイッチ４２１、及び、メモリケース４２２を設置する。ディスプレイパネル４３は、カラー液晶ディスプレイ１１を接合し、底座３０上に、交、直流電、或いは、USB電源導入の内置式電源装置３１を設置し、光学撮影レンズ４４２の相対位置に、LEDにより提供される光源のバックライト機構３２、及び、USB連接挿入孔３３を設置すると共に、主体１０外に、カラー液晶ディスプレイ（LED）１１、及び、メモリカードスロット１２を設置する。また、底座との接合箇所の左右両側に、導通する長槽１３を有し、主体１０頂部は、電源指示灯１４、撮影ボタン１５、電源キー１６、操作キー１７を設置し、功能キーボード４２上の功能スイッチ４２１と連結し、この他、それぞれ、ポジフィルム５２、及び、ネガフィルム６２を挟置するフィルムケース５０、６０を設置し、フィルムケース上に複数の方形開口５１、６１を有する。
【０００９】
図５、及び、図６で示されるように、本考案の使用時、まず、電源キー１６を押して、電源指示灯１４を点灯させ、フィルムを挟設しているフィルムケース５０（或いは、６０）を長槽１３から挿入し、ある方形開口５１（或いは、６１）内にフィルム５２（或いは、６２）をバックライト機構３２上方に配置し、且つ、光学撮影レンズ４４２を照準させ、撮影ボタン１５を押すと、バックライト機構３２が発する輝度がフィルムを現像させ、光学撮影レンズ４４２により、フィルム画像を捕捉して、イメージセンサー４４１で、デジタルデータに転換すると共に、画像処理と保存モジュール４５により、デジタル化画像処理を実行し、ディスプレイパネル４３により、主体のカラー液晶ディスプレイ１１で直接プレビューするか、或いは、操作キー１７により編集後、メモリに保存し、且つ、メモリカード上に保存した画像は、画像処理と保存モジュール４５によりスキャンして、再度再生、或いは、編集する。また、外接式USB導線をUSB連接挿入孔３３に挿入して、コンピュータホストと連結使用することもできる。
【００１０】
本考案は、更に、底部に、内部バックライト構造を接合することができ、定時装置を有するので、アイドルモード時に電源が自動的にオフになり、使用寿命を延長することができる。応用できる製品は、フィルムケースが、ポジ、ネガフィルム、白黒フィルム、及び、歯科用の放射線フィルム（図７）等の操作で、且つ、ネガフィルムの現像はカラーパターンで、公知の白黒のネガフィルムの読み取り模式と異なる。本考案は、更に、画像光学撮影レンズモジュールが、陰影均一度補償功能を有し、リアルな色彩を表現することができる。
【図面の簡単な説明】
【００１１】
【図１】本考案の立体外観図である。
【図２】本考案の構造配置と実施形態を示す図である。
【図３】本考案の構造配置と実施形態を示す図である。
【図４】本考案の構造配置と実施形態を示す図である。
【図５】フィルムケースの構造図である。
【図６】フィルムケースの構造図である。
【図７】歯科用放射線フィルムのフィルムケースの構造図である。
【符号の説明】
【００１２】
１０  主体
１１  カラー液晶ディスプレイ
１２  メモリカードスロット
１３  長槽
１４  電源指示灯
１５  撮影ボタン
１６  電源キー
１７  操作キー
２０  架体
３０  底座
３１  内置式電源装置
３２  バックライト機構
３３  USB連接挿入孔
４０  回路板
４１  メインボード
４２  功能キーボード
４２１  功能スイッチ
４２２  メモリケース
４３  ディスプレイパネル
４４  イメージ感応モジュール
４４１  イメージセンサー
４４２  光学撮影レンズ
４５  画像処理と保存モジュール
５０、６０  フィルムケース
５１、６１  方形開口
５２、６２  フィルム
【図１】
0003147795.tif 000003
【図２】
0003147795.tif 000004
【図３】
0003147795.tif 000005
【図４】
0003147795.tif 000006
【図５】
0003147795.tif 000007
【図６】
0003147795.tif 000008
【図７】
0003147795.tif 000009
【手続補正書】
【提出日】平成20年10月29日(2008.10.29)
【手続補正１】
【補正対象書類名】実用新案登録請求の範囲
【補正対象項目名】請求項１
【補正方法】変更
【補正の内容】
【請求項１】
コンピュータに連接不要で、プレビュー、スキャン、及び、保存功能が実行できるフィルムスキャナーであって、主に、主体内に架体が設置され、底部にバックライト機構を設置する底座を接合し、前記主体と底座の接合箇所の左右両側に、導通する長槽を有し、その特徴は、前記架体頂部に、メインボード、功能キーボード、及び、ディスプレイパネルを連結してなる回路板を設置し、前記メインボード上は、アレイ式の金属酸化膜半導体イメージセンサーにより、光学撮影レンズを結合するイメージ感応モジュール、及び、画像処理と保存モジュールを設置し、前記主体外に、前記ディスプレイパネルと連結するカラー液晶ディスプレイを設置し、複数の制御キーを前記主体外部に有し、連接して、各種功能操作を制御することを特徴とするコンピュータに連接不要で、プレビュー、スキャン、及び、保存功能が実行できるフィルムスキャナー。